(57)【特許請求の範囲】
【請求項１】
底部と胴部を有し、飲物を入れる有底筒状に形成される容器本体と、
該容器本体の上部における開口縁内側の円周の一部から内方に突出形成される突壁板部と、
前記飲物の飲用時に前記容器本体を傾けるように、飲用者が手で持つための取手部と、を備え、
前記容器本体の前記胴部は、飲用時の前記傾ける方向に、予め傾斜するように形成され、
前記突壁板部の中間には、飲用時に当てる唇内に位置させ、前記容器本体を傾けた際に、飲物が前記突壁板部の突出縁から溢れ出す前に、流れ出るようにした飲み口が開口形成され、
前記飲み口の真下における前記底部には、板幅を前記胴部の外形から食み出さない大きさとし、かつ前記胴部の前記傾ける方向にのみ突出する形態で、下向きに押圧操作されることにより、前記傾斜した前記容器本体の前記胴部をさらに前記傾ける方向へ傾斜させる補助突板部が形成され、
前記取手部は、前記飲み口から流れる飲物の流れ方向と交差する位置に設けられたことを特徴とする飲用容器。
【請求項２】
前記飲み口から外方に突出する延長飲み口が連続形成されたことを特徴とする請求項１に記載の飲用容器。
【発明の詳細な説明】
【技術分野】
【０００１】
本発明は、飲物を飲み易くするようにした飲用容器に関する。
【背景技術】
【０００２】
牛乳、ジュース、スープなどの飲物を飲み易くした容器として、容器上部の開口縁における唇をあてる個所には、開口縁の一部を外側へ突出させた飲み口が設けられた飲用容器が知られている（特許文献１参照）。
【０００３】
【特許文献１】実開平４−４０８６１号公報
【発明の開示】
【発明が解決しようとする課題】
【０００４】
ところが、自身では飲用容器を上手に扱えなく、飲用時に補助や介護を必要とする飲用者にとっては、飲用容器をスムーズに傾けることができない場合もあり、このような場合に特許文献の飲用容器を使用したとしても、飲物を飲用する際における飲用容器の傾け方が急に大きくなったりすると、その傾きの大きさによって、飲用者の唇の幅以上の幅で飲物が流れようとして、唇のまわりから飲物がこぼれてしまうことがあるので、飲用者自身が飲物をこぼさずに飲用することを容易にした飲用容器が望まれている。
【０００５】
本発明の課題は、飲用する際の飲用容器の傾け方の影響を受けずに、飲用者が補助や介護を受けることなく、自立して飲物をこぼさずに飲めるように、改良した飲用容器を提供することにある。
【課題を解決するための手段及び発明の効果】
【０００６】
上記課題を解決するために、本発明の飲用容器は、底部と胴部を有し、飲物を入れる有底筒状に形成される容器本体と、該容器本体の上部における開口縁内側の円周の一部から内方に突出形成される突壁板部と、前記飲物の飲用時に前記容器本体を傾けるように、飲用者が手で持つための取手部と、を備え、前記容器本体の前記胴部は、飲用時の前記傾ける方向に、予め傾斜するように形成され、前記突壁板部の中間には、飲用時に当てる唇内に位置させ、前記容器本体を傾けた際に、飲物が前記突壁板部の突出縁から溢れ出す前に、流れ出るようにした飲み口が開口形成され、前記該飲み口の真下における前記底部には、板幅を前記胴部の外形から食み出さない大きさとし、かつ前記胴部の前記傾ける方向にのみ突出する形態で、下向きに押圧操作されることにより、前記傾斜した前記容器本体の前記胴部をさらに前記傾ける方向へ傾斜させる補助突板部が形成され、前記取手部は、前記飲み口から流れる飲物の流れ方向と交差する位置に設けられたことを特徴とする。
【０００７】
上記構成とすることにより、容器本体内に入れる飲物は、その飲用時の容器本体の傾け方の大きさや、不安定さにかかわらず、飲み口から流すことができ、しかも、この飲み口は飲用時に当てる唇（口）内に位置しているため、唇（口）のまわりから飲物がこぼれないので、飲用者が補助や介護を受けることなく、自立して容器本体内の飲物を、楽（容易）に、こぼさずに飲むことができる飲用容器を提供できる。
【０００８】
また、上記課題を解決するために、本発明の飲用容器は、前記飲み口から外方に突出する延長飲み口が連続形成されたことを特徴とすることにより、飲み口に唇（口）を隙間なく当てられない場合でも、唇（口）内に飲物を誘導して流すことができるため、容器本体内の飲物を、楽（容易）に、こぼさずに飲むことができる飲用容器を提供できる。
【０００９】
また、上記課題を解決するために、本発明の飲用容器の容器本体の胴部は、飲用時の傾ける方向に、予め傾斜するように形成されるようにしたことを特徴とすることにより、例えば飲用者が横になって寝ている姿勢であっても、容器本体の傾きを大きくすることなく飲用することができるため、容器本体内の飲物を、楽（容易）に、こぼさずに飲むことができる飲用容器を提供できる。
【００１０】
また、上記課題を解決するために、本発明の飲用容器の飲み口の真下における前記底部には、板幅を前記胴部の外形から食み出さない大きさとし、かつ前記胴部の前記傾ける方向にのみ突出する形態で、下向きに押圧操作されることにより、前記傾斜した前記容器本体の前記胴部をさらに前記傾ける方向へ傾斜させる補助突板部が形成され、前記取手部は、前記飲み口から流れる飲物の流れ方向と交差する位置に設けられたことを特徴とすることにより、飲用容器を片方で手で持ちながら、もう一方の手で補助突板部を押したり持ったりし、補助突板部を動かしながら、傾き加減を調整することができるため、飲むときの安定感や、傾けるときの力を両手に分散させて、取り扱いを楽にして、飲物を飲むことができる飲用容器を提供できる。
【発明を実施するための最良の形態】
【００１１】
以下、本発明の実施の形態につき図面を参照して説明する。図１は本実施の形態に係る飲用容器の斜視図、平面図である。図２は図１のＡ―Ａ断面図である。図１、２において、飲用容器１は、底部２ａと胴部２ｂを有し、有底筒状に形成される容器本体２を備えている。
【００１２】
この容器本体２の形態は、胴部２ｂを一般的な円筒形態となしたり、図示しないも多角筒状や、あるいは胴部２ｂの上下方向における太さに変化を持たせるようにしたカップ状のものなどが挙げられる。ようするに、容器本体２の内方に飲物を入れることが可能なものであり、その容器本体２の胴部２ｂの上部における開口縁２ｃは、飲用者が唇（口）Ｒをあてて飲物を飲むことができる形態のものであればよい。
【００１３】
また、飲用容器１の材質は、ガラス、陶磁器、プラスチックなどで製造することが可能である。また、容器本体２の胴部２ｂには、飲用者が手で持つことができる取手部２ｄが形成されている。
【００１４】
容器本体２の開口縁２ｃには、突壁板部３が設けられている。この突壁板部３の位置は、取手部２ｄを手で持ったときに、唇（口）Ｒをあてて飲用する個所に設けるものであり、本例の場合は、取手部２ｄに対して周方向で９０度程度位置を変位させている。
【００１５】
この突壁板部３は開口縁２ｃの内側の円周の一部から内方に板状に突出形成されている。この突壁板部３の突出方向における突出縁３ａは、容器本体２を傾けた際に、図３に示すように、容器本体２内の飲物の液面Ｓを突出縁３ａより下方に位置するようにさせている。ようするに、容器本体２を傾けた際に、飲物が突壁板部３の突出縁３ａから溢れ出ないようにするとともに、飲用者が飲物を飲むときに当てる唇（口）Ｒの幅Ｒ１よりも、その幅Ｗ１を広く形成している（図１参照）。
【００１６】
この容器本体２の傾け方としては、飲用者が横に寝ている姿勢で、最も大きくなるも、この姿勢でも当然ながら飲むことができるようにすることが望ましい。
【００１７】
また、図１に戻り、突壁板部３の中間には、飲物が流れ出る飲み口３ｂが開口形成される。この飲み口３ｂは突壁板部３の突出縁３ａを無くすように、容器本体２の開口縁２ｃが現出されるように、突壁板部３の突出方向にわたって、飲用者の（口）Ｒの幅Ｒ１より狭い幅Ｗ２でもって切り欠くようにして形成する。また、突壁板部３は容器本体２の開口縁２ｃから連続して一体的に設けられている。このように形成される飲み口３ｂは、容器本体２を傾けて飲物を飲用するときに、飲み物が突壁板部３の突出縁３ａから溢れ出る前に、流れるように設けられている。
【００１８】
また、胴部２ｂと突壁板部３の連続個所３ｄ（外側、内側）や、底部２ａと胴部２ｂとの連続個所３ｄなどは丸みを呈するように形成することにより、汚れなどが付着した場合でも、その汚れを洗いやすくしている。
【００１９】
また、飲用容器の他の実施の形態としては、図４ないし図６に示すように、飲み口３ｂから外側に突出するように連続して延長飲み口３ｅが設けられている。延長飲み口３ｅは、飲み口３ｂから流れ出る飲物を誘導する案内溝３ｅ１を備えるように、くちばし状に形成され、延長飲み口３ｅの上縁３ｅ２は、突壁板部３表面と段差がないように面一で連続形成されている。
【００２０】
この延長飲み口３ｅも、飲み口３ｂと同様に、飲用者の唇（口）Ｒの幅Ｒ１より狭い幅Ｗ３でもって形成している。このように、飲み口３ｂから突出する延長飲み口３ｅが形成させていることにより、例えば、飲み口３ｂに唇（口）Ｒを隙間なく当てられない場合でも、唇（口）Ｒ内に飲物を誘導して流すことができる。この例による他の構成部材について、上述の他の実施の形態における構成部材と同様な部材は、図中に同一符号を付して、その詳細な説明は省略する。
【００２１】
また、飲用容器の他の実施の形態としては、図７に示すように、飲み口３ｂから流れ出る飲物の流れ方向の下流側（矢印Ｅ）に向かって、容器本体２の底部２ａに対して胴部２ｂを傾斜させている。このように、予め傾斜する胴部２ｂを備えていることにより、例えば飲用者が横になって寝ている姿勢であっても、容器本体１の傾きを大きくすることなく飲用することができる。この例による他の構成部材について、上述の他の実施の形態における構成部材と同様な部材は、図中に同一符号を付して、その詳細な説明は省略する。
【００２２】
また、飲用容器の他の実施の形態としては、図８ないし図１０に示すように、容器本体２の底部２ａから補助突板部４を設けている。この補助突板部４は飲み口３ｂの下方として、例えば真下に位置させている。この補助突板部４は板幅を胴部２ｂの外形から食み出さない大きさとし、かつ胴部２ｂの傾ける方向にのみ突出する形態で形成されている。また、補助突板部４の底面と底部２ａの底面との間に段差を生じないようにすることにより、テーブルなどの載置面に飲用容器１を置いたときの安定性が向上する。
【００２３】
また、補助突板部４は、飲用時に際して、飲用容器１を傾ける際の操作力の分散や不安定さを解消するために設けられる。すなわち、飲用容器１を片方で手で持ちながら、もう一方の手で補助突板部４を押したり持ったりし、補助突板部４を動かしながら、傾き加減を調整することができるため、飲むときの安定感や、傾けるときの力を両手に分散させて、取り扱いを楽にすることができる。この例による他の構成部材について、上述の他の実施の形態における構成部材と同様な部材は、図中に同一符号を付して、その詳細な説明は省略する。
【図面の簡単な説明】
【００２４】
【図１】本発明に係る飲用容器の斜視図、平面図。
【図２】図１のＡ―Ａ断面図。
【図３】図１の飲用容器の使用状態図。
【図４】他の実施の形態の飲用容器の斜視図、平面図。
【図５】図４のＢ―Ｂ断面図。
【図６】図４の飲用容器の使用状態図。
【図７】他の実施の形態の飲用容器の断面図及び使用状態図。
【図８】他の実施の形態の飲用容器の斜視図。
【図９】図８のＣ―Ｃ断面図。
【図１０】図８の飲用容器の使用状態図。
【符号の説明】
【００２５】
１          飲用容器
２          容器本体
２ａ        底部
２ｂ        胴部
２ｃ        開口縁
３          突壁板部
３ｂ        飲み口
３ｅ        延長飲み口
４          補助突板部
Ｒ          唇（口）
【要約】
【課題】  飲用する際の飲用容器の傾け方の影響を受けずに、飲用者が補助や介護を受けることなく、自立して飲物をこぼさずに飲めるように、改良した飲用容器を提供する。
【解決手段】  底部２ａと胴部２ｂを有し、飲物を入れる有底筒状に形成される容器本体２と、該容器本体２の上部における開口縁２ｃ内側の円周の一部から内方に突出形成される突壁板部３と、を備え、該突壁板部３の中間には、飲用時に当てる唇Ｒ内に位置させ、前記容器本体２を傾けた際に、飲物が前記突壁板部３の突出縁３ａから溢れ出す前に、流れ出るようにした飲み口３ｂが開口形成されることを特徴とする。
【選択図】  図１【図１】
0004177446.tif 000002
【図２】
0004177446.tif 000003
【図３】
0004177446.tif 000004
【図４】
0004177446.tif 000005
【図５】
0004177446.tif 000006
【図６】
0004177446.tif 000007
【図７】
0004177446.tif 000008
【図８】
0004177446.tif 000009
【図９】
0004177446.tif 000010
【図１０】
0004177446.tif 000011